(57)【特許請求の範囲】
【請求項１】
旅行プランの作成及び旅行者の誘導を行う旅行支援システムであって、
広域通信ネットワークと、
旅行希望者用端末と、
観光施設が備える施設端末と、
旅行者が所持する誘導用携帯通信端末と、
ＧＰＳ衛星と、
旅行支援サーバと、
から構成され、
前記旅行希望者用端末が、
旅行予定者が少なくとも目的、予算並びに所要見込時間又は距離に関するデータを希望旅行情報として入力する希望旅行情報入力手段と、
前記広域通信ネットワークを介して前記旅行支援サーバに前記希望旅行情報を送信する旅行希望者用端末送信手段と、
前記広域通信ネットワークを介して前記旅行支援サーバから出力される情報を受信する旅行希望者用端末受信手段と、
旅行予定者に情報を通知する旅行情報通知手段と、
を有し、
前記施設端末が、
施設担当者が少なくとも施設種別、利用費用、営業時間及びその他旅行者が施設を利用する際に必要な情報を施設情報として入力する施設情報入力手段と、
前記広域通信ネットワークを介して前記旅行支援サーバに施設情報を送信する施設端末送信手段と、
前記広域通信ネットワークを介して前記旅行支援サーバから出力される情報を受信する施設端末受信手段と、
施設担当者に情報を通知する施設端末通知手段と、
を有し、
前記誘導用携帯通信端末が、
旅行者が行程中の移動情報を入力する移動情報入力手段と、
ＧＰＳ衛星を使用して現在位置を検出する現在位置検出手段と、
前記広域通信ネットワークを介して前記旅行支援サーバに前記移動情報及び前記現在位置を送信する携帯端末送信手段と、
前記広域通信ネットワークを介して前記旅行支援サーバから出力される旅行誘導キーワードを含む誘導情報を受信する携帯端末受信手段と、
旅行者に情報を通知する携帯端末通知手段と、
を有し、
前記旅行支援サーバが、
前記広域通信ネットワークとの通信を行う通信部と、
記憶部と、
演算部と、
前記演算部において処理された旅行誘導キーワードを含む情報又は前記記憶部に保存された情報を必要に応じて広域通信ネットワークを介して前記旅行希望者用端末、前記施設端末又は前記誘導用携帯通信端末に対し出力を行う出力部と、
を備え、
前記記憶部が、
予め入力され登録された施設情報を格納した施設情報テーブルと、
希望旅行情報テーブルと、
旅行プランテーブルと、
交通手段及び施設名称を予め暗号化された旅行誘導キーワードで格納されたキーワード変換テーブルと、
を保存し、
前記演算部が、
前記希望旅行情報入力手段から入力された希望旅行情報を希望旅行情報テーブルに格納する、又は、前記施設端末から入力された登録施設に関する情報を施設情報テーブルに格納する旅行情報格納手段と、
希望旅行情報テーブル及び施設情報テーブルに格納された情報を使用して旅行プランを作成し旅行プランテーブルに格納する旅行プラン作成手段と、
旅行者誘導手段と、
旅行プラン作成及び旅行者の誘導に関して必要な時間の計測を行う計時手段と、
を有し、
前記旅行者誘導手段が、
前記携帯通信端末が取得した現在位置を入手する位置取得手段と、
前記現在位置を参照し旅行者の移動経路と前記旅行プランの経路の照合を行う経路照合手段と、
前記移動経路が前記旅行プランの経路から予め定められた距離外れた際に前記旅行プランの経路を修正する計画修正手段と、
前記キーワード変換テーブルを参照して前記旅行プランに格納された交通手段及び施設名称を旅行誘導キーワードに変換するキーワード変換手段と、
を有すること、
を特徴とする旅行支援システム。
【請求項２】
前記希望旅行情報入力手段が、
旅行予定者又は旅行者が希望する目的、予算、目的施設までの所要見込時間又は距離並びに目的施設を選択する際に検討材料として用いられる予め用意された尺度に対して指標で入力する希望旅行情報入力手段であり、
前記旅行情報格納手段が、
前記目的、予算、所要見込時間又は距離並びに選択指標を希望旅行情報テーブルに格納する旅行情報格納手段であり、
前記施設情報入力手段が、
施設担当者が所在地域、最寄駅及びその他施設を前記尺度に対応させて序列化が可能なグループに分ける際に必要な予め用意された分類情報を施設情報として入力する施設情報入力手段であり、
前記施設情報テーブルは、
前記分類情報を含む施設情報を格納し、
前記旅行プラン作成手段が、
前記希望旅行情報テーブル中の目的及び予算と、前記施設情報テーブルに登録された施設情報とを照合し候補施設の検索を行う施設検索手段と、
前記希望旅行情報テーブル中の所要見込時間又は距離並びに広域通信ネットワークから入手した交通情報データから経路検索を行って到達可能な施設を抽出し、前記施設情報テーブルに登録された施設と照合し候補施設の検索を行う移動検索手段と、
前記施設検索手段及び移動検索手段において共通して検索された候補施設を前記分類情報によってグループ分けを行い序列化した後前記尺度上に均等に配分させた場合に、前記指標が指し示す一のグループを抽出し候補施設の絞り込みを行う施設抽出手段と、
前記施設検索手段、移動検索手段及び施設抽出手段から得た結果を用いて旅行プランを作成し旅行プランテーブルに格納する計画作成手段と、
を有すること、
を特徴とする請求項１に記載する旅行支援システム。
【請求項３】
前記希望旅行情報入力手段が、
前記尺度と異なる少なくとも一の尺度を予め用意しておき指標で入力する希望旅行情報入力手段であって、
前記施設抽出手段が、
前記施設抽出手段で抽出された一のグループに属する候補施設を異なる前記尺度に対応する前記分類情報によってグループ分けを行い序列化した後前記尺度上に均等に配分させた場合に、前記指標が指し示す一のグループを抽出する候補施設の絞り込みを少なくとも一回以上行う施設抽出手段であること、
を特徴とする請求項２に記載する旅行支援システム。
【請求項４】
前記希望旅行情報入力手段が、
旅行予定者又は旅行者が希望する目的施設までの距離を入力する希望旅行情報入力手段であり、
前記施設情報テーブルが、
施設の最寄駅を格納し、
前記旅行プラン作成手段が、
前記旅行予定者又は旅行者の現在位置を中心として前記距離を半径とする円内地域に存する最も近い鉄道の駅を検索し、該駅を最寄駅として登録する施設を施設情報テーブルから抽出し、抽出された施設の内最も遠方の施設を選択すること、
又は、
前記旅行予定者又は旅行者の現在位置を中心として前記距離を半径とする円内地域に鉄道の駅が存在しない場合に、該円内地域に登録された施設を施設情報テーブルから抽出し、抽出された施設の内最も遠方の施設を選択すること、
を特徴とする請求項１から請求項３のいずれか一項に記載する旅行支援システム。
【請求項５】
前記希望旅行情報入力手段が、
計時手段において演算された目的の施設までの予定所要時間に加えることが可能なゆとり時間を旅行予定者が入力する希望旅行情報入力手段であって、
前記旅行者誘導手段が、
前記携帯通信端末から入力される経由地通過確認信号から算出された経由地までの実際の所要時間から予定所要時間を減算し、該減算の結果を前記ゆとり時間から減算しゆとり残時間を出力するゆとり残時間演算手段を有すること、
を特徴とする請求項１から請求項４のいずれか一項に記載する旅行支援システム。
【請求項６】
前記旅行プラン作成手段が、
所定の条件に適合する施設に優先抽出フラグを付し、所定の条件で優先抽出フラグが取り消されるまで選択条件が競合した際に該優先抽出フラグを有する施設を優先的に抽出すること、
を特徴とする請求項１から請求項５のいずれか一項に記載する旅行支援システム。
【請求項７】
前記旅行プラン作成手段が、
一度抽出された前記優先抽出フラグを有さない施設に非抽出フラグを付し、所定の条件で非抽出フラグが取り消されるまで施設の選択が競合した際に該非抽出フラグを有する施設を除いて抽出すること、
を特徴とする請求項６に記載する旅行支援システム。
【発明の詳細な説明】
【技術分野】
【０００１】
本発明は、広域通信ネットワーク（例えば、インターネット）、位置情報システム（例えば、ＧＰＳ（Global Positioning System）・アシスト型ＧＰＳ）及び双方向通信（例えば、電話回線）を利用して旅行プランを作成し、旅行の際には旅行者をナビゲート（案内又は誘導）するものであるが、旅行者には作成した旅行プランの具体的な経路、交通手段及び目的施設を知らせず、旅行当日に暗示的なキーワードによりナビゲートするいわゆるミステリツアーを提供する旅行支援システムに関する。
【背景技術】
【０００２】
従来の旅行プランの作成は、旅行会社が用意したツアーに便乗するか、又は、個人で交通手段から食事場所、宿泊場所のすべてを決定するものか、旅行会社のアドバイザーの意見を聞きながら決定するものであった。このような従来の旅行プランの作成方法では、人気がある観光地、又は、ブームが到来している観光地に集中する傾向があった。
【０００３】
近年、インターネット等の普及により、選択肢は増加し、旅行会社へ赴いてプランを作成するなどの手間が省け、旅行者にとっては便利になっている。一方で、商業及び観光施設は、自施設の情報をインターネット上に公開し新規顧客を獲得しようと努力しているが、利用した者が行った評価が掲載されると人気のある施設に集客が偏ってしまう傾向があった。
【０００４】
また、旅行者は、旅行プランを決定した時点でインターネットに掲載された映像、写真、口コミ情報から目的施設に関する十分過ぎるほどの情報を得ることができ、実際の旅行の際の興味又はドキドキ感等の期待感及び昂揚感が減殺されることとなる。
【０００５】
上記の問題に鑑みて特許文献１の発明が開示されている。
【０００６】
特許文献１は、次にどこへ向かうか等旅行プランの全てが前日までに既知であるので、ユーザーが旅先で誘導される際にはワクワク感が得られにくい従来の問題を解決するために成された発明であり、旅行プラン作成時には、出発日時、帰着日時、集合場所及び解散場所の日程と費用のみをユーザーに通知し、当日までは具体的な行程及び目的施設を知らせないことでワクワク感を持続させるものである。
【先行技術文献】
【特許文献】
【０００７】
【特許文献１】特開２０１４−１４２７８４号公報
【特許文献２】特許４７３１９３０号公報
【特許文献３】特開２００２−２４５１３２号公報
【発明の概要】
【発明が解決しようとする課題】
【０００８】
しかしながら、特許文献１は、出発日まで旅行プランを通知しないため、人気に偏ることなく地域又は施設の選択を行うことができ新規顧客の獲得を図る観光施設への誘導も可能であるものの、観光施設の公平性を保ち活性化するような具体的な手段を有していない。また、出発日に集合場所へ行った際に航空券や乗車券、及び、旅先でサービスを受けるための予約票を受け取るので、出発前には旅行プランの全貌が明らかになり期待感や昂揚感は半減することになる。
【０００９】
特許文献１が有する期待感や昂揚感が半減する問題を解決するために、旅行者に具体的な行程や目的施設を通知しない手段を採用した場合、出発した後の旅行者の誘導は重要な課題となる。旅行者を誘導する発明としては以下が開示されている。
【００１０】
特許文献２は、旅行者が所持する携帯端末が、ＧＰＳを使用して現在位置を検出し、当該現在位置と、予め作成した経路とを地図上に時系列に従って重畳させて表示し、現在位置から目的施設への経路を視覚的にユーザーに提示するナビゲーション端末である。行き戻りや停滞があった場合においても経路を修正できる手段を有する。また、目的施設までの距離が予め設定された距離にまで接近した際には、ユーザーに通知する手段を有する。
【００１１】
特許文献３は、旅行者が所持する通信端末をＧＰＳやその他の位置検出手段を用いて、当該旅行者が旅行ルートをスケジュール通りに移動しているかを追跡し、旅行ルートを外れた場合や予定時刻に移動を開始しない場合には、旅行者の通信端末へ警告を発するとともに正しいルートに戻るメッセージを送信する旅行支援システムである。
【００１２】
上記二文献はともに、行程又は目的施設は明示された上で行う旅行者の誘導手段であり、経路修正のための方法や目的施設までの経路を具体的に旅行者に通知する。しかし、行程や目的施設が明らかにされていない場合において期待感や昂揚感を維持するためには、暗示的な方法であっても旅行者が迅速に正規の経路に戻るための的確な経路修正方法を旅行者に提示しなければならない問題がある。
【００１３】
本発明は、上記の問題に鑑みてなされたものであり、あらゆる観光地に対し公平性をもって活性化の機会が与えられ、かつ、旅行者にとっても期待感や昂揚感を減殺することなく安全な旅行を提供できる旅行プラン作成から旅行案内までを一気通貫に担う旅行支援システムを構築することを目的とする。
【課題を解決するための手段】
【００１４】
上記課題を解決するため、本発明の旅行支援システムは、旅行プランの作成及び旅行者の誘導を行う旅行支援システムであって、広域通信ネットワークと、旅行希望者用端末と、観光施設が備える施設端末と、旅行者が所持する誘導用携帯通信端末と、ＧＰＳ衛星と、旅行支援サーバと、から構成され、前記旅行希望者用端末が、旅行予定者が少なくとも目的、予算並びに所要見込時間又は距離に関するデータを希望旅行情報として入力する希望旅行情報入力手段と、前記広域通信ネットワークを介して前記旅行支援サーバに前記希望旅行情報を送信する旅行希望者用端末送信手段と、前記広域通信ネットワークを介して前記旅行支援サーバから出力される情報を受信する旅行希望者用端末受信手段と、旅行予定者に情報を通知する旅行情報通知手段と、を有し、前記施設端末が、施設担当者が少なくとも施設種別、利用費用、営業時間及びその他旅行者が施設を利用する際に必要な情報を施設情報として入力する施設情報入力手段と、前記広域通信ネットワークを介して前記旅行支援サーバに施設情報を送信する施設端末送信手段と、前記広域通信ネットワークを介して前記旅行支援サーバから出力される情報を受信する施設端末受信手段と、施設担当者に情報を通知する施設端末通知手段と、を有し、前記誘導用携帯通信端末が、旅行者が行程中の移動情報を入力する移動情報入力手段と、ＧＰＳ衛星を使用して現在位置を検出する現在位置検出手段と、前記広域通信ネットワークを介して前記旅行支援サーバに前記移動情報及び前記現在位置を送信する携帯端末送信手段と、前記広域通信ネットワークを介して前記旅行支援サーバから出力される旅行誘導キーワードを含む誘導情報を受信する携帯端末受信手段と、旅行者に情報を通知する携帯端末通知手段と、を有し、前記旅行支援サーバが、前記広域通信ネットワークとの通信を行う通信部と、記憶部と、演算部と、前記演算部において処理された旅行誘導キーワードを含む情報又は前記記憶部に保存された情報を必要に応じて広域通信ネットワークを介して前記旅行希望者用端末、前記施設端末又は前記誘導用携帯通信端末に対し出力を行う出力部と、を備え、前記記憶部が、予め入力され登録された施設情報を格納した施設情報テーブルと、希望旅行情報テーブルと、旅行プランテーブルと、交通手段及び施設名称を予め暗号化された旅行誘導キーワードで格納されたキーワード変換テーブルと、を保存し、前記演算部が、前記希望旅行情報入力手段から入力された希望旅行情報を希望旅行情報テーブルに格納する、又は、前記施設端末から入力された登録施設に関する情報を施設情報テーブルに格納する旅行情報格納手段と、
希望旅行情報テーブル及び施設情報テーブルに格納された情報を使用して旅行プランを作成し旅行プランテーブルに格納する旅行プラン作成手段と、旅行者誘導手段と、旅行プラン作成及び旅行者の誘導に関して必要な時間の計測を行う計時手段と、を有し、前記旅行者誘導手段が、前記携帯通信端末が取得した現在位置を入手する位置取得手段と、前記現在位置を参照し旅行者の移動経路と前記旅行プランの経路の照合を行う経路照合手段と、前記移動経路が前記旅行プランの経路から予め定められた距離外れた際に前記旅行プランの経路を修正する計画修正手段と、前記キーワード変換テーブルを参照して前記旅行プランに格納された交通手段及び施設名称を旅行誘導キーワードに変換するキーワード変換手段と、を有すること、を特徴とする。
【００１５】
本発明の旅行支援システムは、前記希望旅行情報入力手段が、旅行予定者又は旅行者が希望する目的、予算、目的施設までの所要見込時間又は距離並びに目的施設を選択する際に検討材料として用いられる予め用意された尺度に対して指標で入力する希望旅行情報入力手段であり、前記旅行情報格納手段が、前記目的、予算、所要見込時間又は距離並びに選択指標を希望旅行情報テーブルに格納する旅行情報格納手段であり、前記施設情報入力手段が、施設担当者が所在地域、最寄駅及びその他施設を前記尺度に対応させて序列化が可能なグループに分ける際に必要な予め用意された分類情報を施設情報として入力する施設情報入力手段であり、前記施設情報テーブルは、前記分類情報を含む施設情報を格納し、前記旅行プラン作成手段が、前記希望旅行情報テーブル中の目的及び予算と、前記施設情報テーブルに登録された施設情報とを照合し候補施設の検索を行う施設検索手段と、前記希望旅行情報テーブル中の所要見込時間又は距離並びに広域通信ネットワークから入手した交通情報データから経路検索を行って到達可能な施設を抽出し、前記施設情報テーブルに登録された施設と照合し候補施設の検索を行う移動検索手段と、前記施設検索手段及び移動検索手段において共通して検索された候補施設を前記分類情報によってグループ分けを行い序列化した後前記尺度上に均等に配分させた場合に、前記指標が指し示す一のグループを抽出し候補施設の絞り込みを行う施設抽出手段と、前記施設検索手段、移動検索手段及び施設抽出手段から得た結果を用いて旅行プランを作成し旅行プランテーブルに格納する計画作成手段と、を有すること、を特徴とする。
【００１６】
本発明の旅行支援システムは、前記希望旅行情報入力手段が、前記尺度と異なる少なくとも一の尺度を予め用意しておき指標で入力する希望旅行情報入力手段であって、前記施設抽出手段が、前記施設抽出手段で抽出された一のグループに属する候補施設を異なる前記尺度に対応する前記分類情報によってグループ分けを行い序列化した後前記尺度上に均等に配分させた場合に、前記指標が指し示す一のグループを抽出する候補施設の絞り込みを少なくとも一回以上行う施設抽出手段であること、を特徴とする。
【００１７】
本発明の旅行支援システムは、前記希望旅行情報入力手段が、旅行予定者又は旅行者が希望する目的施設までの距離を入力する希望旅行情報入力手段であり、前記施設情報テーブルが、施設の最寄駅を格納し、前記旅行プラン作成手段が、前記旅行予定者又は旅行者の現在位置を中心として前記距離を半径とする円内地域に存する最も近い鉄道の駅を検索し、該駅を最寄駅として登録する施設を施設情報テーブルから抽出し、抽出された施設の内最も遠方の施設を選択すること、又は、前記旅行予定者又は旅行者の現在位置を中心として前記距離を半径とする円内地域に鉄道の駅が存在しない場合に、該円内地域に登録された施設を施設情報テーブルから抽出し、抽出された施設の内最も遠方の施設を選択すること、を特徴とする。
【００１８】
本発明の旅行支援システムは、前記希望旅行情報入力手段が、計時手段において演算された目的の施設までの予定所要時間に加えることが可能なゆとり時間を旅行予定者が入力する希望旅行情報入力手段であって、前記旅行者誘導手段が、前記携帯通信端末から入力される経由地通過確認信号から算出された経由地までの実際の所要時間から予定所要時間を減算し、該減算の結果を前記ゆとり時間から減算しゆとり残時間を出力するゆとり残時間演算手段を有すること、を特徴とする。
【００１９】
本発明の旅行支援システムは、前記旅行プラン作成手段が、所定の条件に適合する施設に優先抽出フラグを付し、所定の条件で優先抽出フラグが取り消されるまで選択条件が競合した際に該優先抽出フラグを有する施設を優先的に抽出すること、を特徴とする。
【００２０】
本発明の旅行支援システムは、前記旅行プラン作成手段が、一度抽出された前記優先抽出フラグを有さない施設に非抽出フラグを付し、所定の条件で非抽出フラグが取り消されるまで施設の選択が競合した際に該非抽出フラグを有する施設を除いて抽出すること、を特徴とする。
【発明の効果】
【００２１】
本発明の旅行支援システムによれば、旅行支援サーバが演算部において旅行者誘導手段を有し、当該旅行者誘導手段がキーワード変換テーブルを参照して、旅行プランに格納された交通手段及び施設名称を旅行誘導用のキーワードに変換するキーワード変換手段を有することにより、出発した後も目的施設や交通手段を知ることがなく期待感や昂揚感を減殺することがない旅行を旅行プラン作成から旅行案内まで一気通貫に担う旅行支援システムを構築することができる効果を奏する。
【００２２】
本発明の旅行支援システムによれば、旅行予定者の好みや嗜好を予め定められた尺度で指標化して入力しておき、当該好みや嗜好に対応させて確立した分類方法によってグループ化されかつ序列化された施設群の中から入力された指標によって目的施設を絞り込む抽出手段を用いることによって、単純に人気がある観光地、又は、ブームが到来している観光地が選択されることがなく、あらゆる観光地に対し活性化の機会が与えられる効果を奏する。
【００２３】
本発明の旅行支援システムによれば、指標によって目的施設を絞り込む抽出手段を重ねて行うことによって、直接的に施設を選択するのではないが、旅行予定者の好みや嗜好を十分に反映させた施設の選択が可能となる効果を奏する。
【００２４】
本発明の旅行支援システムによれば、旅行予定者又は旅行者が距離を入力して、当該距離圏内に属する駅を登録した施設を容易に選択できることにより、今すぐに小旅行を行いたい者、又は、旅行行程中に移動ゆとり時間が生じ現在位置近くの施設を旅行プランに追加したい場合に有効である効果を奏する。
【００２５】
本発明の旅行支援システムによれば、予め旅行者が入力した移動ゆとり時間の残時間を旅行中に提示することにより、ミステリツアーに生じがちな時間の遅れを管理しつつ行程を消化することができ、残時間が消滅した場合には具体的な行程、交通手段及び目的施設を提示するなどして、目的施設の利用時間に到着ができなくなるトラブルを排除して、安心かつ安全な旅行の実現が可能である効果を奏する。
【００２６】
本発明の旅行支援システムによれば、優先抽出フラグを設けることにより、例えば、町おこしなどに貢献する施設を優先して抽出し、町おこしに積極的な観光地に対し活性化の機会が与えられる効果を奏する。
【００２７】
本発明の旅行支援システムによれば、所定の条件で一定期間抽出を行わない非抽出フラグを設けることにより、例えば、一度抽出した施設を一定期間抽出することを停止して、あらゆる施設に対し公平に抽出を行うことができる効果を奏する。
【図面の簡単な説明】
【００２８】
【図１】本発明に係る旅行支援システム１０の全体構成図の一例である。
【図２】本発明に係る旅行支援システム１０のブロック図である。
【図３ａ】本発明に係る希望旅行情報入力メイン画面１４５１の一例である。
【図３ｂ】本発明に係る希望旅行情報入力サブ画面（宿泊）１４５２の一例である。
【図３ｃ】本発明に係る希望旅行情報入力サブ画面（食事）１４５３の一例である。
【図３ｄ】本発明に係る希望旅行情報入力サブ画面（観光）１４５４の一例である。
【図４ａ】本発明に係る施設マスタ情報入力メイン画面１６５１の一例である。
【図４ｂ】本発明に係る施設マスタ情報入力サブ画面（宿泊）１６５２の一例である。
【図４ｃ】本発明に係る施設マスタ情報入力サブ画面（食事）１６５３の一例である。
【図４ｄ】本発明に係る施設マスタ情報入力サブ画面（観光）１６５４の一例である。
【図５ａ】本発明に係るミステリツアープラン作成における目的施設検索抽出フローのメインフローである。
【図５ｂ】本発明に係るミステリツアープラン作成における目的施設検索抽出フローの施設抽出フロー部分である。
【図５ｃ】本発明に係るミステリツアープラン作成における目的施設検索抽出フローの小旅行プラン作成フロー部分である。
【図６】本発明に係る施設抽出フローをイメージ化した図である。
【図７ａ】本発明に係る優先抽出施設の登録フロー前段部分である。
【図７ｂ】本発明に係る優先抽出施設の登録フロー後段部分である。
【図８】本発明に係るミステリツアープラン登録確認画面１４５９の一例である。
【図９ａ】本発明に係るミステリツアー誘導フロー前段部分である。
【図９ｂ】本発明に係るミステリツアー誘導フロー中段部分である。
【図９ｃ】本発明に係るミステリツアー誘導フロー後段部分である。
【図９ｄ】本発明に係るミステリツアー誘導フローのミステリキーワード変換フロー部分である。
【図１０】本発明に係るミステリツアー誘導画面の一例である。
【図１１】本発明に係るミステリルートを文章化するためのテーブルとテンプレートの一例である。
【図１２】本発明に係る移動ゆとり時間の演算をイメージ化した図である。
【発明を実施するための形態】
【００２９】
本発明に係る旅行支援システム１０を実施するための形態について、図を参照しつつ説明する。
【００３０】
図１は、旅行支援システム１０にかかる全体構成図の一例である。
図２は、本発明に係る旅行支援システム１０のブロック図である。
【００３１】
本発明に係る旅行支援システム１０は、旅行支援サーバ１２、旅行希望者用端末１４、施設端末１６、交通情報提供サーバ１８、誘導用携帯通信端末２２、各携帯電話会社無線基地局２４、無線ＬＡＮアクセスポイント２０、ＧＰＳ衛星２６及び広域通信ネットワーク（例えば、インターネットであり、以下、インターネットとする）２８から構成される。
【００３２】
旅行支援サーバ１２は、少なくとも演算部１２２、記憶部１２４、出力部１２６及びインターネット２８との間の通信制御を行う通信部１２８によって構成され、ミステリツアーの提供に必要なデータを演算、管理、及び、インターネット２８を介し旅行希望者用端末１４、施設端末１６、交通情報提供サーバ１８及び誘導用携帯通信端末２２との通信を行う。各部は、データバスによって接続され、情報データが流通可能である。
【００３３】
演算部１２２においては、旅行希望者用端末１４より入力された情報に基づいて、ミステリツアープランを作成し、情報テーブルに格納する。また、誘導用の暗号文作成等の演算を行い、必要であれば情報テーブルに格納する。
【００３４】
記憶部１２４は、ミステリツアーの管理を行うための情報テーブルを保存し、演算部１２２の要求に応じて適宜入出力を行う。記憶部１２４に保存される前記情報テーブルは、例えば、ミステリツアーに必要な施設情報を格納した施設情報テーブルと、旅行希望者がミステリツアープラン作成に当たって必要な旅行内容の情報を格納した希望旅行情報テーブルと、演算部１２２において作成されて旅行希望者によって登録されたミステリツアープランの情報を格納した旅行プランテーブルと、交通手段及び施設名称を予め暗号化された旅行誘導用のキーワードで格納されたキーワード変換テーブルである。
【００３５】
作成されたミステリツアープランデータは、出力部１２６を介して通信部１２８から旅行希望者用端末１４に出力し、旅行希望者に提示を行う。また、表示部を有する場合には、出力部１２６は表示部に対してシステム稼働に必要な情報を出力しオペレータに提示する。入力部を備えれば、オペレータがシステム稼働に必要な情報を入力することもできる。
【００３６】
また、演算部１２２は、決定されたミステリツアープランにしたがって、旅行当日には旅行者が所持する誘導用携帯通信端末２２と通信部１２８を介して交信し、誘導用携帯通信端末２２の位置情報、及び、旅行者が入力する行程中の移動情報を取得する。取得した位置情報及び移動情報に基づいて旅行者に指示すべき内容を旅行プランデータから入力し、キーワード変換テーブルを参照し暗号文を作成する。
【００３７】
出力部１２６は、通信部１２８を介して旅行者に提示し、目的施設への誘導を図る。
【００３８】
演算部１２２が経路から外れたと判断した場合には、最短で当初プランの経路に戻るための修正経路を検索し、キーワード変換テーブルを参照し、暗号文を作成する。出力部１２６は、通信部１２８を介して旅行者に提示し当初プラン経路に誘導する。
【００３９】
旅行希望者用端末１４は、少なくとも入力部１４１、演算部１４２、記憶部１４３、出力部１４４、表示部１４５及びインターネット２８との間の通信制御を行う旅行希望者用端末送信手段及び旅行希望者用端末受信手段を備えた通信部１４６によって構成される。各部は、データバスによって接続され、情報データが流通可能である。ミステリツアーの作成に必要な希望旅行情報を入力、表示、及び、インターネット２８を介し旅行支援サーバ１２との間で通信を行う。また、旅行支援サーバ１２から送信されるミステリツアープランを旅行希望者に対し表示し、登録か否かの確認を行う。
旅行希望者用端末１４は、例えばノートパソコンやディスクトップパソコンを用いることが考えられるが、多機能情報携帯通信端末であるスマートフォンやタブレット端末を使用してもよい。ただし、これに限定するものではない。
【００４０】
入力部１４１は、キーボードやタッチパネルなどであって旅行希望者がミステリツアープランの作成を旅行支援サーバ１２に依頼する際に必要な各種情報に関して入力作業を行う希望旅行情報入力手段を備える。
【００４１】
演算部１４２は、入力された情報を演算し旅行支援サーバ１２に送信可能なデータに変換する。
【００４２】
記憶部１４３は、入力された情報及び旅行支援サーバ１２から送信された情報を保存し、要求に応じて各種情報の出力を行う。
【００４３】
出力部１４４は、演算部１４２において演算された結果を表示部１４５及び通信部１４６に出力を行う。
【００４４】
表示部１４５は、ミステリツアーの作成に必要な希望旅行情報の入力作業を簡便に行うツールとしての登録画面の表示、旅行支援サーバ１２から送信される情報の表示を行う旅行情報通知手段を備える。また、必要に応じて適宜ミステリツアーに関する情報の表示を行う。
【００４５】
図３ａ乃至図３ｄは、本発明に係る希望旅行情報入力画面の一例である。
旅行希望者は、希望旅行情報入力メイン画面１４５１にしたがって入力部１４１からミステリツアーの基本情報を入力する。
希望旅行情報入力メイン画面１４５１においては、小旅行か否か、出発予定日、出発時間、目的設定、宿泊の有無、食事設定、希望移動時間、移動ゆとり時間、希望移動距離、スタート駅（位置でもよい）、交通費予算、除外地域及び誘導用携帯通信端末２２の通信事業者に関して入力を行う。
入力方法は、図中の四角枠右側に下向三角がある場合には、当該三角をクリックするなどして表示される内容（プルダウンメニュー）を選択する、又は、直接文字や数字を入力するものとしてもよい。その他、コンテキストメニューにより選択するなどの方法があり、いずれかに限定するものではない。
また、選択ボタンがある場合には、白丸の部分をクリックし希望する項目を選択する。
【００４６】
小旅行は、日帰り旅行や現在位置から直ちに最寄駅周辺の散策を行うような場合に選択する。小旅行が選択された場合には、自動的に宿泊は無しに設定される。
出発予定日を当日、出発時間を現在に設定した場合には、現在位置から直ちに最寄駅周辺の散策を行う小旅行に設定され、その場合、スタート駅（位置）は、自動的に現在位置に設定される。
小旅行は、ミステリツアープランの移動ゆとり時間を利用して旅行支援サーバ１２が作成したプランに割り込みをかけて現在位置から直ちに最寄駅周辺の散策を行うことも可能である。
【００４７】
ミステリツアーは、日帰り旅行又は一泊二日の往路を暗号化したキーワードで誘導することを基本としている。これは、旅行期間が長くなると旅行者の事前の入力が煩雑になることを考慮したものである。しかしながら、ミステリツアーの上級者用に複数泊のツアーを用意してもよい。
【００４８】
目的設定、宿泊の有無及び食事設定の項目の入力内容により、希望旅行情報入力サブ画面（宿泊）１４５２、希望旅行情報入力サブ画面（食事）１４５３又は希望旅行情報入力サブ画面（観光）１４５４に画面が切り替わり、詳細設定を行う。画面は、希望旅行情報入力メイン画面１４５１上にポップアップするウィンドウとしてもよい。設定内容については、後述する。
【００４９】
希望移動時間及び希望移動距離は、ミステリツアーに掛かる予測の所要時間及び距離である。ミステリツアーでは、目的施設又は宿泊施設の具体名を旅行希望者が設定することがなく、また、旅行支援サーバ１２から旅行希望者に提示されることもないため、旅行支援サーバ１２において旅行プランが作成される際には、目的設定、宿泊の有無及び交通費予算と並んで最も重要な要素となる。
【００５０】
交通費予算は、画面内の移動条件に入力された内容に応じて旅行支援サーバ１２で経路検索を行う際に参照される。実際の旅行においては、移動する際に誤った経路を選択することもあり、入力された交通費予算内に収まらない場合も存在する。
【００５１】
除外地域は、個人的な事情、自然災害又は武力紛争などにより避けたい地域を入力するものである。
【００５２】
誘導用携帯通信端末２２の通信事業者の選択を行うが、これは、通信事業者により通信可能な地域範囲が異なり、ミステリツアー中に誘導用携帯通信端末２２が通信可能な地域範囲から外れ誘導不能になることを、旅行プラン作成の段階で予め考慮して防止するためである。
【００５３】
希望旅行情報入力サブ画面（宿泊）１４５２、希望旅行情報入力サブ画面（食事）１４５３及び希望旅行情報入力サブ画面（観光）１４５４は、概ね同様の構成としているので、希望旅行情報入力サブ画面（宿泊）１４５２を代表的な例として説明する。
【００５４】
入力する項目は、宿泊予算、利用人数及び客室数、出発時間（チェックアウト時間）に加えて、目的施設を選択する際に検討材料として用いられる「好み項目」をゲージ（尺度）１４５６で表し、ゲージ１４５６上のどの位置にポインタ（指標）１４５７を移動させるかによって旅行希望者が旅行に求める嗜好の程度を入力する「好みゲージ」１４５６を備える。
目的施設を直接選ぶ代わりに旅行支援サーバ１２が選択する施設に対して旅行希望者の要望を度合によって主張するものである。
【００５５】
「好み項目」は、例えば、今話題の人気地方を選択するのか、あまり話題には挙がっていないが穴場的な地方を選択するのか、又は、どちらにも寄らない中間的な地方を選択するのかによって好みを判断する項目が考えられる。他に、目的施設周辺の雰囲気が賑やかである場所を選択するのか、閑静である場所を選択するのか、又は、どちらにも寄らない中間的な場所を選択するのかによって好みを判断する項目が考えられる。これらは、地方の観光入込客数や目的施設最寄駅の降車人数のデータを用いて、地方や駅をランキング順に並べたものに照らし合わせることで関連付けができる。「好みゲージ」１４５６上のポインタ１４５７が置かれた位置に対応する地方や駅を抽出した後、当該地方や駅を施設マスタ情報に登録している施設を選ぶことによって候補を絞り込んでいくものである。旅行支援サーバ１２における旅行プラン作成の際の具体的な「好みゲージ」１４５６の活用方法は後述する。
【００５６】
「好み項目」は、他に気候（温暖か、寒冷か）は気象データを用いて、自然（都市部か、地方か）は人口データを用いて、文化（歴史的か、現代的か）は歴史的建造物数のデータを用いて、食事（山の幸か、海の幸か）は産物の収穫量を用いて、「好みゲージ」１４５６を作成することができる。
【００５７】
希望旅行情報入力サブ画面（食事）１４５３及び希望旅行情報入力サブ画面（観光）１４５４では、各々の施設の特徴に応じた入力項目を備える。
図３ｂ乃至図３ｄでは、各々のサブ画面において同じ「好み項目」を用いたが、異なるものとしてもよい。
例えば、希望旅行情報入力サブ画面（食事）１４５３において、「好みゲージ」１４５６は、前述の海の幸であるのか、山の幸であるのかを「好みゲージ」１４５６化することが考えられる。
【００５８】
これらは、希望旅行情報入力手段の一例であり、入力項目を含めてこれに限定されるものではない。
【００５９】
登録された希望旅行情報は、通信部１４６からインターネット２８を介して、旅行支援サーバ１２に送信されて、希望旅行情報テーブルに格納され旅行プラン作成手段で使用される。
【００６０】
交通情報提供サーバ１８は、各交通機関が駅、路線及び運賃情報や運行データを管理し、各種交通情報をユーザーに提供を行うために所有するものである。旅行支援サーバ１２は、交通情報提供サーバ１８から得た情報に基づいて、旅行プランの作成や旅行者の誘導を行う。
【００６１】
施設端末１６は、少なくとも入力部１６１、演算部１６２、記憶部１６３、出力部１６４、表示部１６５、及び、インターネット２８との間の通信制御を行う施設端末送信手段及び施設端末受信手段を備えた通信部１６６によって構成され、旅行プラン作成に必要な施設マスタ情報を入力、表示、及び、インターネット２８を介し旅行支援サーバ１２との間で通信を行う。例えば、ノートパソコンやディスクトップパソコンを用いることが考えられるが、これに限定するものではない。
【００６２】
入力部１６１は、キーボードやタッチパネルなどであって旅行支援サーバ１２がミステリツアープラン作成及び旅行者誘導の際に必要な施設に関する各種情報に関して入力作業を行う施設情報入力手段を備える。
【００６３】
演算部１６２は、入力された情報を演算し旅行支援サーバ１２に送信可能なデータに変換する。
【００６４】
記憶部１６３は、入力された情報及び旅行支援サーバ１２から送信された情報を保存し、要求に応じて各種情報の出力を行う。
【００６５】
出力部１６４は、演算部１６２において演算された結果を表示部１６５及び通信部１６６に出力を行う。
【００６６】
表示部１６５は、ミステリツアープランの作成及び旅行者誘導に必要な施設情報の入力作業を簡便に行うツールとしての登録画面の表示、旅行支援サーバ１２から送信される情報の表示を行う施設端末通知手段を備える。また、必要に応じて適宜ミステリツアーに関する情報の表示を行う。
【００６７】
図４ａ乃至図４ｄは、本発明に係る施設情報入力画面の一例である。
施設担当者は、施設マスタ情報入力メイン画面１６５１にしたがって入力部１６１からミステリツアーに関連する施設の基本情報を入力する。
施設マスタ情報入力メイン画面１６５１においては、施設カテゴリ選択、町おこし登録を行うか否か、施設名称、住所、電話番号、担当者名、最寄駅、所在地域に関して入力を行う。
入力方法は、図中の四角枠右側に下向三角がある場合には当該三角をクリックするなどして表示される内容（プルダウンメニュー）を選択する、又は、直接文字や数字を入力するものとしてもよい。その他、コンテキストメニューにより選択するなどの方法があり、いずれかに限定するものではない。
また、選択ボタンがある場合には、白丸の部分をクリックし希望する項目を選択する。
【００６８】
施設カテゴリ選択の項目の入力内容により、施設マスタ情報入力サブ画面（宿泊）１６５２、施設マスタ情報入力サブ画面（食事）１６５３、施設マスタ情報入力サブ画面（観光）１６５４に画面が切り替わり、詳細設定を行う。画面は、施設マスタ情報入力メイン画面１６５１上にポップアップするウィンドウとしてもよい。設定内容については、後述する。
【００６９】
町おこし登録は、所定の距離を半径とする円内に地域活性化を希望し町おこし登録「要」を選択する施設が所定の軒数以上となった場合には、円内の地域を町おこし地域として、「要」を選択した施設は優先登録されるものである。ただし、優先される期間は、所定の軒数に達した後一定期間を定めて、その期間が終了すると通常の登録施設に戻ることとなる。旅行プラン作成時に抽出の極端な偏りを減少させるためである。再度、町おこし登録を行えるようになるためには、所定の期間の経過を待たねばならない。町おこし登録の具体的な方法については、後述する。
【００７０】
最寄駅及び所在地域は、前述の「好みゲージ」１４５６を作成する際のランキング付けに用いるデータの参照項目となり、旅行プランを作成する際に最重要な項目となる。
【００７１】
施設マスタ情報入力サブ画面（宿泊）１６５２、施設マスタ情報入力サブ画面（食事）１６５３及び施設マスタ情報入力サブ画面（観光）１６５４は、概ね同様の構成としているので、施設マスタ情報入力サブ画面（宿泊）１６５２を代表的な例として説明する。
入力する項目は、宿種別カテゴリ、部屋料金、食事、基本到着時間（チェックイン時間）基本出発時間（チェックアウト時間）などの施設の基本情報である。その他、登録確認画面１４５９において、旅行者にヒントを与えるために用いる施設が特定できない写真、特徴及びコメントを入力できるようにすることが好ましい。
【００７２】
これらは、施設情報入力手段の一例であり、入力項目を含めてこれに限定されるものではない。
【００７３】
登録された施設マスタ情報は、通信部１６６からインターネット２８を介して、旅行支援サーバ１２に送信されて、施設カテゴリ別にコードナンバーが割り振られ施設情報テーブルに格納されて旅行プラン作成手段で使用される。
【００７４】
誘導用携帯通信端末２２は、少なくとも入力部２２１、演算部２２２、記憶部２２３、出力部２２４、表示部２２５、ＧＰＳ衛星２６と通信を行い現在位置の検出を行う現在位置検出手段を備えた現在位置検出部２２７及びインターネット２８を介した通信制御及び電話回線を使用した通話制御を行う携帯端末送信手段及び携帯端末受信手段を備えた通信部２２６によって構成される。誘導用携帯通信端末２２は、旅行に出発した際に旅行支援サーバ１２から誘導のための暗号文を受信して、表示部２２５に表示し旅行者を目的施設や宿泊施設に誘導するために用いられる。例えば、多機能情報携帯通信端末であるスマートフォンやタブレット端末が考えられる。スマートフォンやタブレット端末は、その有する機能を考慮すると旅行希望者用端末１４として用いることも可能である。したがって、旅行希望者用端末１４と誘導携帯通信端末とが同一端末となる場合が存在する。
【００７５】
入力部２２１は、キーボードやタッチパネルなどであって旅行支援サーバ１２から旅行者誘導情報を取得する際に必要な行程上の各種情報に関して入力作業を行う移動情報入力手段を備える。
【００７６】
演算部２２２は、入力又は取得された情報を演算し旅行支援サーバ１２に送信可能なデータに変換する。また、旅行支援サーバ１２から送信されたデータを演算し表示可能に変換する。
【００７７】
記憶部２２３は、入力された情報及び旅行支援サーバ１２から送信された情報を保存し、要求に応じて各種情報の出力を行う。
【００７８】
出力部２２４は、演算部２２２において演算された結果を表示部２２５及び通信部２２６に出力を行う。
【００７９】
表示部２２５は、ミステリツアー中の旅行者を誘導する際に必要な地図、位置情報、誘導暗号文の表示、旅行支援サーバ１２から送信される情報の表示を行う（図１０参照）携帯端末通知手段を備える。また、必要に応じて適宜ミステリツアーに関する情報の表示を行う。
【００８０】
現在位置検出部２２７で取得した位置情報は、通信部２２６からインターネット２８を介して旅行支援サーバ１２に送信され旅行者誘導手段で活用される。旅行支援サーバ１２が誘導用携帯通信端末２２を所持する旅行者を誘導する際には、旅行者が入力し送信される行程中の情報とともに取り扱われるが、旅行者が現在位置や状況を把握できていない場合には、正規経路から逸脱していないかの判断材料としてＧＰＳから取得された誘導用携帯通信端末２２の位置情報が特に必要となる。
【００８１】
以下に、ミステリツアープラン作成シーケンスについて説明する。
図５ａは、本発明に係るミステリツアープラン作成における目的施設検索抽出フローのメインフローである。
図５ｂは、本発明に係るミステリツアープラン作成における目的施設検索抽出フローの施設抽出フロー部分である。
図５ｃは、本発明に係るミステリツアープラン作成における目的施設検索抽出フローの小旅行プラン作成フロー部分である。
【００８２】
ミステリツアープランの作成は、旅行支援サーバ１２において旅行希望者用端末１４で入力された希望旅行情報及び施設端末１６で入力された施設情報、交通情報提供サーバ１８から得られる各種の交通情報、又は、インターネット２８を介して得られる地方、地域、駅等に関する定量的なデータを利用して行われる。希望旅行情報及び施設情報は、各々のテーブルに格納され記憶部１２４に保存されたものを出力する。
【００８３】
希望旅行情報テーブルから目的、予算、「好みゲージ（尺度）」１４５６のポインタ（指標）１４５７、並びに、希望移動時間又は希望移動距離を入力する（Ｓ１０）。
目的及び予算と施設情報テーブルに登録された施設情報とを照合し、当該目的及び予算に合致する候補施設を抽出する（Ｓ１１）。
上記は、施設の情報に主体をおいて目的施設を検索するもの（施設検索）である。
次に、先の施設検索とは別に希望移動時間又は希望移動距離、並びに、インターネット２８の交通情報を用いて当該希望移動時間又は希望移動距離内に適合する候補施設を抽出する（Ｓ１３）。
上記は、移動情報に主体を置いて目的施設を検索するもの（移動検索）である。
施設検索と移動検索の抽出結果に共通する候補施設はあるかの判断を行い、共通する候補施設を抽出する（Ｓ１５）。
【００８４】
本ミステリツアープラン作成の特徴の一つは、以下の「好みゲージ」１４５６を使用して候補施設を絞り込むことである。
【００８５】
図６は、「好みゲージ」１４５６を用いた本発明に係る施設抽出フローをイメージ化した図である。
以下、図６を参照しつつ、説明を進める。
旅行希望者は、観光目的、出発地三宮駅、移動希望距離１００ｋｍ以内を選択して入力したものとする。
また、人気度「好みゲージ」１４５６においては、旅行希望者はｙの位置にポインタ１４５７をセットし、賑わい度「好みゲージ」１４５６では、ｚの位置にポインタ１４５７をセットしたものとする。
【００８６】
まず、施設検索と移動検索に共通する候補施設を第一分類情報によってグループ分けして序列化（序列化済第一グループ群）する（Ｓ２１）。
図６では、第一分類情報は地域分類である。各都道府県行政が年度毎に発表する観光統計に報告されている地域分類をひとつのグループとする。例えば、近畿地方であれば、福井県、滋賀県、京都府、大阪府、兵庫県、奈良県、和歌山県となる。県内をグループ分けすると、京都府の場合では、乙訓地域・山城地域・南丹地域・中丹地域・丹後地域・京都市地域であり、大阪府の場合では、北大阪地域・東部大阪地域・南河内地域・泉州地域・大阪市地域であり、兵庫県であれば、神戸地域・阪神南地域・阪神北地域・東播磨地域・北播磨地域・中播磨地域・西播磨地域・但馬地域・丹波地域・淡路地域に分類される。旅行希望者が、入力する希望移動時間又は希望移動距離によって、グループ単位の大きさが変わることになる。インターネット２８からこの全国の地域グループの直近の年間の「観光入込客数」を入手する。
第一分類情報は、人気度「好みゲージ」１４５６の人気であるか穴場であるかの度合に対応している必要がある。したがって、観光入込数をもって人気度を測る尺度とし、地域グループを観光入込数の多いものから順に並べる。
【００８７】
図６においては、これらの地域グループをａ地域グループからｅ地域グループとした。これらのグループには、施設マスタ情報を登録している施設が存在していなければならない。したがって、ｃ地域グループには施設マスタ情報を登録した施設がないため除外した。観光入込客数は、ｄ＞ｂ＞ａ＞ｅの順であるとする。
これを具体例として、上の希望旅行情報に当てはめると、移動希望距離１００ｋｍ以内であるので、地域グループは県単位とする。
出発地を三宮駅としたとき該当する県が、ａ地域グループ（兵庫県）、ｂ地域グループ（大阪府）、ｃ地域グループ（岡山県）、ｄ地域グループ（京都府）、ｅ地域グループ（奈良県）であったとする。これを観光入込客数の多い県から順に並べたならば、ｄ地域グループ（京都府）＞ｂ地域グループ（大阪府）＞ａ地域グループ（兵庫県）＞ｅ地域グループ（奈良県）となったとする。これが、序列化済第一グループ群となる。ｃ地域グループ（岡山県）には登録施設がなかったものとして除外する。
これらグループに施設マスタ情報登録され、かつ、施設検索と移動検索に共通して抽出された候補施設が実線の丸に囲まれた数字である。
【００８８】
図６のＢ（囲み文字）の「好みゲージ」１４５６に示すように、序列化済第一グループ群であるｄ地域グループ（京都府）、ｂ地域グループ（大阪府）、ａ地域グループ（兵庫県）、ｅ地域グループ（奈良県）を均等の配分（この場合では、２５％ずつの配分）を持って、Ａ（囲み文字）の希望旅行情報入力サブ画面に表された人気度「好みゲージ」１４５６に対応させて配列させる（Ｓ２２）。
【００８９】
旅行希望者が、セットしたポインタ１４５７（ｙ）が、人気度「好みゲージ」１４５６上で２５％を指示していた場合、ａ地域グループ（兵庫県）とｅ地域グループ（奈良県）の境界部分を指し示していることになるが、この場合には、地域活性化を考慮して、下位グループを選択したものとする。
したがって、図６においては、旅行支援サーバ１２は、ｅ地域グループ（奈良県）を選択抽出することとなる（第一抽出グループ）（Ｓ２３）。
【００９０】
本実施の形態においては、さらに、第一抽出グループに属する候補施設を第二分類情報によってグループ分けして序列化（序列化済第二グループ群）を行う（Ｓ２４）。
図６では、第二分類情報は駅分類である。ｅ地域グループ（奈良県）に属する施設が最寄駅とする駅ごとにグループ化を図る。
第二分類情報は、賑わい度「好みゲージ」１４５６の賑わいがあるか閑静であるかの度合に対応している必要がある。したがって、駅の降車人員をもって賑わい度を測る尺度とし、駅グループを降車人員の多いものから順に並べる。
このとき形成された駅グループが、ア駅グループ（大和西大寺駅）、イ駅グループ（王子駅）、ウ駅グループ（学園前駅）、エ駅グループ（近鉄奈良駅）であったとする。これを降車人員の多い駅から順に並べたならば、エ駅グループ（近鉄奈良駅）＞ウ駅グループ（学園前駅）＞イ駅グループ（王子駅）＞ア駅グループ（大和西大寺駅）となったとする。これが、序列化済第二グループ群となる（Ｓ２４）。
これらグループに施設マスタ情報登録され、かつ、施設検索と移動検索に共通して抽出された候補施設が実線の丸に囲まれた数字である。施設マスタ登録において町おこし登録された施設（優先抽出フラグを有する施設）を二重丸として示した。
【００９１】
図６のＤ（囲み文字）の「好みゲージ」１４５６に示すように、序列化済第二グループ群であるエ駅グループ（近鉄奈良駅）、ウ駅グループ（学園前駅）、イ駅グループ（王子駅）、ア駅グループ（大和西大寺駅）を均等の配分（この場合では、２５％ずつの配分）を持って、Ｃ（囲み文字）の希望旅行情報入力サブ画面に表された賑わい度「好みゲージ」１４５６に対応させて配列させる（Ｓ２５）。
【００９２】
旅行希望者が、セットしたポインタ１４５７（ｚ）が、賑わい度「好みゲージ」１４５６上で３０％を指示していた場合、イ駅グループ（王子駅）を指し示していることになる。
したがって、図６においては、旅行支援サーバ１２は、イ駅グループ（王子駅）を選択抽出することとなる（第二抽出グループ）（Ｓ２６）。
図６においては、三施設が抽出される。
【００９３】
本実施の形態においては、二つの「好みゲージ」１４５６を用いて目的施設を抽出して絞り込んだが、「好みゲージ」１４５６は一つであってもよいし、三つ以上あってもよい。
【００９４】
次に小旅行であるか否かの判断を行う（Ｓ２７）。
小旅行は、日帰り旅行や現在位置から直ちに最寄駅周辺の散策を行うような場合に選択される。小旅行場合の旅行プラン作成フローは後述する。
【００９５】
以下、小旅行でない場合を説明する。
【００９６】
Ｓ２８では、町おこし登録された候補施設（優先フラグを有する施設）があるか否かを判断する。
【００９７】
町おこし登録は、施設マスタ情報登録において行われる。
目的施設検索抽出フローの最終抽出部分の説明の前に、図７に町おこし登録フローを示して、町おこし登録がどのようにして行われるかについて説明する。
図７ａは、本発明に係る優先抽出施設の登録フロー前段部分である。
図７ｂは、本発明に係る優先抽出施設の登録フロー後段部分である。
施設マスタ情報登録の際に、町おこし登録「要」を選択した場合には、旅行支援サーバ１２において、町おこし登録フローが実行される。
町おこしグループ新規登録希望施設の入力がなされる（Ｓ１０１）と、町おこし登録制限中の施設か否かの判断がなされる（Ｓ１０２）。町おこし登録は、所定の期間優先抽出期間が与えられて優先抽出期間が経過した後は、所定の期間、町おこし登録が制限される。これは、特定の施設に優先抽出される権利を恒久的に与えると他の地域の施設に対し地域活性化の機会を奪うことになるからである。期間を定めることによって、その期間、優先抽出される施設周辺の地域に人が集まることになり活性化の機会が与えられることになる。
【００９８】
町おこしグループは、所定の施設を基準施設として所定の距離を半径とした円内の施設で構成される。まずは、町おこし登録にエントリーした施設を中心として所定の距離を半径とした円内に登録施設が存在するか否かを判断する（Ｓ１０３）。本フローでは、所定の距離を２．５ｋｍとした。所定の距離は、２．５ｋｍから５ｋｍ程度が好ましい。一つの町を構成する距離程度であるが、これに限定されるものではない。登録施設が存在しない場合には基準施設として登録される（Ｓ１２０）。町おこし登録にエントリーした施設を中心として所定の距離を半径とした円内に基準施設が存在しない場合（Ｓ１０４）にも基準施設として登録される（Ｓ１２０）。
【００９９】
町おこし登録にエントリーした施設を中心として所定の距離を半径とした円内に基準施設が存在する場合には、当該基準施設の属する町おこしグループが登録候補となる。ただし、基準施設が複数存在する場合には、施設登録軒数が所定の軒数に達していない町おこし登録待ちグループを登録候補とする（Ｓ１０５）。ここでは、所定の軒数を２０軒とした。町おこしを行うためには、多数の施設の協力が必要になるからである。ただし、これに限定されるものではない。
【０１００】
万が一、町おこし登録待ちグループが存在しない場合には、町おこし登録期限までの日数が最も長い町おこしグループを抽出する（Ｓ１３０）。
町おこし登録待ちグループが存在する場合には、登録待ちグループの中から登録軒数が最も少ないグループを抽出する（Ｓ１０６）。
グループを抽出したら、エントリー施設に対して当該グループに登録する意思があるか否かを確認する（Ｓ１０７）（Ｓ１３１）。
グループに登録しない場合には、町おこし登録にエントリーしていないものとして通常の登録となる（Ｓ１４０）。
【０１０１】
町おこし登録にエントリーした施設が所属した登録待ちグループが所定の軒数に達した場合（Ｓ１０８）には、町おこし登録され、当該グループには、所定の期間、優先抽出期間が付与される（Ｓ１０９）。
【０１０２】
以下、目的施設検索抽出フローの最終抽出部分を説明する。
町おこし登録された施設が、目的施設検索抽出フローにおいて優先抽出される。ステップＳ２８以降に優先抽出方法を示す。
ステップＳ２６において、旅行支援サーバ１２は、イ駅グループ（王子駅）を選択抽出した（第二抽出グループ）（図６）。三施設が抽出されている。
ステップ２８において、町おこし登録された候補施設（優先フラグを有する施設）があるか否かを判断する。図６においては、施設１７（囲み数字）が唯一町おこし登録された施設であるので、最終候補施設となる。
町おこし登録された施設が複数存在する場合には、乱数を用いてランダムに抽出し、最終候補施設を決定する（Ｓ２９）。
町おこし登録された施設が存在しない場合には、非抽出フラグを有さない候補施設はあるか否かの判断を行う（Ｓ４０）。非抽出フラグとは、町おこし登録（優先抽出フラグ有）をされていない通常登録施設が、一度抽出された場合には非抽出フラグは付与されて、以後所定の条件によって非抽出フラグが解除されるまで、抽出されないというものである。
非抽出フラグを有さない候補施設が存在する場合には、その中からランダムで施設を抽出し、非抽出フラグを付与した（Ｓ４２）上で最終候補施設とする。
ただし、優先フラグを有する施設は、優先抽出期間が解除されるまでは最終候補施設となっても非抽出フラグを付与されることはない。
いずれのステップにおいても、抽出できる施設が存在しなくなった場合には、該当なし又は不適合として、旅行希望者用端末１４に出力する。
最終候補施設は、旅行希望者用端末１４に出力を行い、旅行希望者に登録を求める。旅行希望者が登録を望まない場合には、最終候補施設に付与された非抽出フラグを解除して当該最終候補施設を除いてステップＳ２９と同じランダム抽出を実行し、旅行希望者に提示する。候補施設が存在しなくなった場合には、該当なしを出力する。
【０１０３】
図５ｃの小旅行プラン作成フロー部分を説明する。
希望旅行情報入力メイン画面１４５１において、小旅行が選択された場合には、ステップＳ２７からステップＳ５０へと移行する。
希望旅行情報入力メイン画面１４５１において、出発予定日及び出発時間を現在時刻にした場合には（Ｓ５０）、今すぐに出発するので現在位置の検出を行う（Ｓ６０）。
ステップＳ２６で抽出された第二抽出グループ内の候補施設を施設マスタ情報に登録された最寄駅によってグループ分けを行う（Ｓ５１）。本実施の形態においては、ステップＳ２３からステップ２６において最寄駅グループを抽出しているので、ステップＳ５１からステップＳ５４までｙｅｓと判断されて実行されることとなる。
しかし、第二分類情報を気候などとした場合にはステップＳ５１からステップＳ５４までの判断がなされる。
【０１０４】
ステップＳ５２、Ｓ５３では、希望旅行情報入力メイン画面１４５１において設定された希望移動距離内に鉄道の駅があるか否か、当該駅を最寄駅とする施設グループがあるか否かを判断する。希望移動距離内に鉄道の駅がない場合であっても、候補施設があればこれを候補施設として採用する（Ｓ７０）。
当該駅を最寄駅とする施設グループがある場合には、現在位置に直近の駅を最寄駅とする施設グループを抽出する（Ｓ５４）。
町おこし登録された施設の有無を判断（Ｓ５５）し、存在する場合には、最寄駅から最も遠い町おこし登録された目的施設（優先フラグ有）を抽出（Ｓ５６）し、存在しない場合には、非抽出フラグを有さない施設（Ｓ８０）のうちで最寄駅から最も遠い目的施設（非抽出フラグ無）を抽出して（Ｓ８１）、最終候補施設とする。
最終候補施設は、旅行希望者用端末１４に出力を行い、旅行希望者に登録を求める。旅行希望者が登録を望まない場合には、最終候補施設に付与された非抽出フラグを解除して当該最終候補施設を除いてステップＳ２９と同じランダム抽出を実行し、旅行希望者に提示する。候補施設が存在しなくなった場合には、該当なしを出力する。
最寄駅から最も遠い施設を抽出するのは、駅から遠い施設は通常インターネット２８などで検索が行われる場合には不利になることが多いため、ミステリツアーでは活性化の機会を与えるためである。
【０１０５】
希望旅行情報入力メイン画面１４５１において現在時刻に設定し、今すぐ行う小旅行を選択した場合には、誘導用携帯通信端末２２を使用して、ミステリツアーを開始する。その際には、スマートフォンなどを使用して旅行希望者用端末１４と誘導用携帯通信端末２２とを同一としておくと便利である。
【０１０６】
図８には、本発明に係るミステリツアープラン登録確認画面１４５９の一例を示した。
上記のように抽出された最終候補施設の内容は、概略の行程とともに旅行希望者用端末１４に表示される。ミステリツアーであるため、詳細は表示されず、施設や交通手段の特定ができない程度の表示がなされる。
旅行希望者は、ミステリツアープラン登録確認画面１４５９を確認し、示された内容で登録を行う場合には、「ＯＫ」ボタンを選択し、ミステリツアープランを確定させる。他の候補を確認したい場合には、「次の候補を表示」ボタンを選択し、複数の候補プランを確認した上で選択を行う。希望するものが存在しない場合には、「キャンセル」ボタンを選択する。ボタンは、画面をタッチする方法でもよいし、キーボタンを押す方法でもよい。
「ＯＫ」ボタンを選択された場合には、旅行支援サーバ１２において、当該旅行プランが旅行プランテーブルに格納され、記憶部１２４に保存される。
【０１０７】
以下、ミステリツアーの誘導手段について説明する。
図９ａは、本発明に係るミステリツアー誘導フロー前段部分である。
図９ｂは、本発明に係るミステリツアー誘導フロー中段部分である。
図９ｃは、本発明に係るミステリツアー誘導フロー後段部分である。
【０１０８】
図９ａ乃至図９ｃにおいて、ステップＳ１０００番台は誘導用通信携帯端末でのシーケンス、ステップＳ２０００番台は旅行支援サーバ１２でのシーケンス、ステップＳ３０００番台は施設端末１６でのシーケンスを表す。
図中の点線矢印は、各端末と旅行支援サーバ１２間の通信を表す。
【０１０９】
ステップＳ１０００において、旅行者は誘導用携帯通信端末２２を使用してログイン操作を行い、インターネット２８を介して旅行支援サーバ１２に対しログインをおこなう。
ステップＳ２０００において、旅行支援サーバ１２はログイン情報を受信し、その後に誘導用携帯通信端末２２から送信される出発信号の受信待機に入る。
誘導用携帯通信端末２２は予約番号及び旅行出発信号を旅行支援サーバ１２へ送信する（Ｓ１００１）。
さらに、現在位置をＧＰＳによって取得して旅行支援サーバ１２に送信（Ｓ１００２）し、登録を行ったミステリツアープランに示された出発地点に移動する（Ｓ１００３）。出発地点に移動した上で、旅行支援サーバ１２に出発手続を行ってもよい。
誘導用携帯通信端末２２から送信された現在位置情報がミステリツアーの出発地点のしきい値内であるかの確認を行い（Ｓ２００１）、出発地点でないと判断した場合には出発地点への移動を指示する（Ｓ２００２）。この場合は、最短で移動できるように暗号文は使用しない。
誘導用携帯通信端末２２が出発地点に所在することが確認できたなら、施設端末１６に対し、旅行者が出発した旨の信号を送信する（Ｓ２００３）。
施設端末１６は、当該信号を受信した後は、旅行者が到着した旨の信号の受信待ちとなる（Ｓ３０００）。
【０１１０】
旅行支援サーバ１２は、誘導用携帯通信端末２２に最初の移動指示のための暗号文を送信するために、キーワード変換フローを実行させる（Ｓ２００４）。
【０１１１】
以下、キーワード変換フローについて説明する。
図９ｄは、本発明に係るミステリツアー誘導フローのミステリキーワード変換フロー部分である。
【０１１２】
旅行プランテーブルから、最初の指示に必要な行程データを抽出する（Ｓ２５００）。
インターネット２８を介して行程データにかかる交通情報提供サーバ１８にアクセスし、路線データ、駅・バス停データ及び運行情報を抽出する（Ｓ２５０１乃至Ｓ２５０３）。路線データ及び駅・バス停データは旅行プラン登録時に旅行プランテーブルに格納して保存しておいてもよい。
キーワードの暗号文章化テンプレートを図１１に示す。
ａ部分に交通機関を、ｂ部分に路線を、ｃ部分に駅名を当てはめることで文章を完成させる。
交通機関データ、路線データ、駅・バス停データを、例えば、図１１に示したキーワード変換テーブルに照合し暗号化されたキーワードを抽出する。三ノ宮から梅田に阪神電車で向かう場合には、ａ部分は、交通機関変換テーブルを用いて「関西で球団を保有している電鉄」が選択される。ｂ部分は、路線変換テーブルを用いて「営業キロ３２．１ｋｍの路線」が選択される。ｃ部分は、駅・バス停変換テーブルを用いて「イカ焼きの有名な百貨店のある駅」が選択される（Ｓ２５０４）。これを暗号文章化テンプレートに当てはめると「関西で球団を保有している電鉄に乗り、営業キロ３２．１ｋｍの路線で、イカ焼きの有名な百貨店のある駅に向かえ。」となり、旅行者に提示を行う暗号文が完成する（Ｓ２５０５）。
これは、一例であり、移動手段を支持可能な暗号化のための方法であれば、いかなる方法であってもよい。
また、キーワード変換テーブルを難易度別に用意して、旅行者には難易度の高いキーワードから提示していき、解読できない場合には、難易度の低いテーブルからキーワードを抽出しヒントとして旅行者に提示することも可能である。
【０１１３】
移動指示のための暗号文が完成したら、誘導用携帯通信端末２２に当該暗号文を送信する（Ｓ２００５）
【０１１４】
誘導用携帯通信端末２２が指示を受信したら、当該端末上に指示を表示する（Ｓ１００５）。
図１０に、本発明に係るミステリツアー誘導画面の一例を示す。
【０１１５】
誘導用携帯通信端末２２の表示部２２５に現在位置表示画面２２５１が表示される。地図であることが好ましいが、イラストのような簡易的な図でもよい。現在位置ポインタ２２５２によって旅行者の現在位置が示される。行程情報表示画面２２５３には、目的施設到着予定時刻や希望旅行情報入力メイン画面１４５１で設定した移動ゆとり時間の残時間など旅行行程中において必要な情報が表示される。誘導指示画面２２５４では、旅行支援サーバ１２のキーワード変換フローで作成された移動指示のための暗号文が表示される。
タッチパネルである場合には、ミステリツアー中止ボタン２２５５や誘導情報要求ボタン２２５６などを表示してもよい。ミステリツアー中止ボタン２２５５は、どうしても暗号を解読できない場合など旅行者の都合でミステリツアーを中止して、通常の旅行に戻る場合又は旅行自体を中止する場合に使用する。誘導情報要求ボタン２２５６は、表示された暗号文ではどのように移動すればよいかわからない場合に難易度の低い暗号文を要求する場合に使用する。
【０１１６】
誘導用携帯通信端末２２は、暗号文を受信したら、ＧＰＳから位置情報を取得し、旅行者が移動を行っているかを判断する（Ｓ１００６）。移動していない場合には移動を促す（Ｓ１００７）。
旅行者が移動を開始したら、誘導用携帯通信端末２２は、移動開始信号を旅行支援サーバ１２に送信する（Ｓ１００８）。
【０１１７】
旅行支援サーバ１２が移動開始信号を受信したら、旅行者に対しどのような交通手段を使用して移動しているかを報告送信するように指示する（Ｓ２００６）。
【０１１８】
旅行者は、誘導用携帯通信端末２２上のアプリケーションに従い、実際の移動手段を旅行支援サーバ１２に送信する（Ｓ１００９）。
【０１１９】
旅行支援サーバ１２は、旅行プランに基づいた正しい移動手段か否かを判断し、誤っていると判断した場合には、移動中断指示を送信する（Ｓ２００８）。
【０１２０】
移動中断指示を受けた誘導用携帯通信端末２２は、現在位置を旅行支援サーバ１２に送信し、正しい経路に戻るための指示を待つ（Ｓ１０１２）。
【０１２１】
現在位置を受信した旅行支援サーバ１２は、インターネット２８を介して交通情報提供サーバ１８等にアクセスして現在位置から最短で当初プランの経路に戻る修正経路を検索し抽出する（Ｓ２００９）。
修正経路が確定したら、経路修正指示を暗号文で行うためにキーワード変換フローを実行する（Ｓ２０１０）。
暗号文を作成した後、ステップＳ２００５に戻り、正しい移動手段で移動するまで、ステップＳ１００５から繰り返す。ステップＳ２００７で正しい移動手段であると判断されたら、ステップＳ２０１１を実行し、正しい移動手段である旨通知する。
【０１２２】
旅行者が、旅行支援サーバ１２から指示された地点に到着したと判断した場合（Ｓ１０１３）には、旅行支援サーバ１２に現在位置を送信する（Ｓ１０１５）。
【０１２３】
現在位置を受信した旅行支援サーバ１２は、当該現在位置が移動先として指示した地点であるか否かを判断する（Ｓ２０１２）。例えば、先の「関西で球団を保有している電鉄に乗り、営業キロ３２．１ｋｍの路線で、イカ焼きの有名な百貨店のある駅に向かえ。」であるとの指示が与えられた場合には、正しく阪神梅田駅に到着しているかの判断を行う。その際には、所定の距離をしきい値として設定しておき、阪神梅田駅の中心から当該しきい値以内の距離であれば、正しく指示した地点に到着していると判断する。
【０１２４】
当該しきい値から外れ正しい地点に到着していないと判断した場合には、インターネット２８を介して交通情報提供サーバ１８等にアクセスして現在位置から最短で当初プランの経路に戻る修正経路を検索し抽出する（Ｓ２０１４）。
修正経路が確定したら、経路修正指示を暗号文で行うためにキーワード変換フローを実行する（Ｓ２０１５）。
暗号文を作成した後、ステップＳ２００５に戻り、正しい移動手段で移動するまで、ステップＳ１００５から繰り返す。ステップＳ２０１２で正しい指示地点であると判断されたら、ステップＳ２０１３を実行し、目的施設までの移動に交通機関の利用は必要か否かの判断を行う。
さらに交通機関の利用が必要であると判断された場合には、次の移動指示を暗号文で行うためにキーワード変換フローを実行する（Ｓ２０１６）。
暗号文を作成したら、ステップＳ２００５に戻り、正しい移動手段で指示地点に移動するまで、ステップＳ１００５からステップＳ２０１２までを繰り返す。ステップＳ２０１３において目的施設までの移動に交通機関の利用は必要ないと判断されたら、現在位置が目的施設か否かの判断（Ｓ２０１７）を行い、目的施設でない場合には誘導用携帯通信端末２２に対して、徒歩経路データを送信する（Ｓ２０１８）。
【０１２５】
徒歩経路データを受信した誘導用携帯通信端末２２は表示部２２５の現在位置表示画面２２５１上の地図に徒歩経路を視覚で認識できるように色彩が付された実線で示す、又は、誘導指示画面２２５４に文字や文章で示してもよい（Ｓ１０１６）。
旅行者が移動を開始したら、現在位置を検出しながら目的施設からしきい値内の距離に到着するまで誘導する（Ｓ１０１７乃至Ｓ１０２２）。旅行者が経路を間違えた場合には、経路を修正し、表示部２２５に表示する（Ｓ１０２３，Ｓ１０１６）。目的施設であると判断した場合には、旅行支援サーバ１２に現在位置を送信する（Ｓ１０２１）。
【０１２６】
現在位置の送信を受けた旅行支援サーバ１２は、旅行者の到着情報を当該施設端末１６に送信する（Ｓ２０１９）。
【０１２７】
旅行者到着情報を受信した施設端末１６は、確認応答を旅行支援サーバ１２に対して送信する（Ｓ３００１）。
【０１２８】
旅行支援サーバ１２は、確認応答を受信した後、ミステリツアープランの移動がすべて完了したか否かを判断する（Ｓ２０２０）。
完了していないと判断した場合には、現目的施設における滞在予定時間が経過することを待って（Ｓ２０２１）、誘導用携帯通信端末２２に対し現在位置を送信することを要求する（Ｓ２０２２）。
【０１２９】
誘導用携帯通信端末２２は、現在位置を送信する（Ｓ１０２４）。滞在予定時間が経過していない場合であっても、旅行者が次の目的施設に出発したいときには旅行支援サーバ１２に対して現在位置を送信し、次の指示を要求することとしてもよい。
【０１３０】
旅行支援サーバ１２は、現在地を受信した後、ステップＳ２００１に戻り、次の目的施設に到着するまでステップＳ２０１９までを繰り返す。
最終目的施設に到着したと判断した場合（Ｓ２０２０）には、旅行完了信号を誘導用携帯通信端末２２に送信する（Ｓ２０２３）。
【０１３１】
誘導用携帯通信端末２２は、旅行完了信号を受信したら、ログアウトしてミステリツアーを終了する（Ｓ０２４）。
【０１３２】
以下、移動ゆとり時間について説明する。
図１２は、本発明に係る移動ゆとり時間の演算をイメージ化した図である。
ミステリツアーの場合には、交通手段などが明確に指示されないため行程が遅延することが多くなる。遅延時間を無制限に認めると最終目的施設が宿泊施設である場合などは、最終チェックイン時間に到着できない場合が発生する。一方、行程にかかる所要時間が短い場合には、ミステリツアーがあっという間に終わり期待外れとなってしまう場合がある。
このような課題を解決するために、所定の時間を定め、当該時間内の遅れであれば、旅行支援サーバ１２が、旅行者に対して急いで移動することを催促する、又は、途中の目的施設を飛ばして最終目的施設に誘導するようなことをなくすものである。当該所定の時間を、「移動ゆとり時間」と呼ぶ。
【０１３３】
移動ゆとり時間は、希望旅行情報入力メイン画面１４５１で旅行希望者が入力できる。移動ゆとり時間は、無制限に入力することができず、前述のように移動所要時間及び滞在時間差し引いた上で最終目的施設の利用時間に間に合う範囲内で設定される。
【０１３４】
図１２中において、ｓが移動ゆとり時間である。
旅行者がスタート時刻（ｐ）に出発し、実際の経由地到着時刻（ｘ）であったとすれば、経由地到着遅刻時間（ｂ）は、（実際の経由地到着時刻（ｘ）−経由地到着予定時刻（ｑ））で算出できる。その際の残移動ゆとり時間（ｔ）は、（移動ゆとり時間（ｓ）−経由地到着遅刻時間（ｂ））となる。残移動ゆとり時間は、旅行支援サーバ１２において、ミステリツアーの間中、計時手段から取得する時刻を用いて演算部１２２において計算される。
当該残移動ゆとり時間（ｔ）は、図１０に示した行程情報表示画面２２５３に表示される。残移動ゆとり時間（ｔ）がなくなった又は少なくなった場合に旅行支援サーバ１２は、誘導用携帯通信端末２２を介して旅行者に警告を与え、速やかな移動を催促する。
【０１３５】
また、ミステリツアー中に希望旅行情報入力メイン画面１４５１により小旅行を選択し図５ｃに示した小旅行プラン作成フロー部分を実行させて旅行プランを作成し、今すぐに出発すれば、当該移動ゆとり時間を利用して割り込みの小旅行版ミステリツアーを楽しむことができる。
【産業上の利用可能性】
【０１３６】
本発明に係る旅行支援システムを観光産業に利用することにより、町おこしに貢献し、あらゆる産業を活性化することができる。
【０１３７】
また、ＧＰＳを利用して取得した位置情報に演算を加え、仮想位置情報を現在位置として地図上に現在位置ポインタを表示させれば、本旅行支援システムはミステリツアーシミュレーションゲームを提供するシステムとすることも可能である。
【符号の説明】
【０１３８】
１０  旅行支援システム
１２  旅行支援サーバ
１２２  演算部
１２４  記憶部
１２６  出力部
１２８  通信部
１４  旅行希望者用端末
１４１  入力部
１４２  演算部
１４３  記憶部
１４４  出力部
１４５  表示部
１４５１  希望旅行情報入力メイン画面
１４５２  希望旅行情報入力サブ画面（宿泊）
１４５３  希望旅行情報入力サブ画面（食事）
１４５４  希望旅行情報入力サブ画面（観光）
１４５６  ゲージ（尺度）（「好みゲージ」）
１４５７  ポインタ（指標）
１４５９  登録確認画面
１４６  通信部
１６  施設端末
１６１  入力部
１６２  演算部
１６３  記憶部
１６４  出力部
１６５  表示部
１６５１  施設マスタ情報入力メイン画面
１６５２  施設マスタ情報入力サブ画面（宿泊）
１６５３  施設マスタ情報入力サブ画面（食事）
１６５４  施設マスタ情報入力サブ画面（観光）
１６６  通信部
１８  交通情報提供サーバ
２０  無線ＬＡＮアクセスポイント
２２  誘導用携帯通信端末
２２１  入力部
２２２  演算部
２２３  記憶部
２２４  出力部
２２５  表示部
２２５１  現在位置表示画面
２２５２  現在位置ポインタ
２２５３  行程情報表示画面
２２５４  誘導指示画面
２２５５  ミステリツアー中止ボタン
２２５６  誘導情報要求ボタン
２２６  通信部
２２７  現在位置検出部
２４  携帯電話会社無線基地局
２６  ＧＰＳ衛星
２８  広域通信ネットワーク（インターネット）
【図１】
0006635543.tif 000002
【図２】
0006635543.tif 000003
【図３ａ】
0006635543.tif 000004
【図３ｂ】
0006635543.tif 000005
【図３ｃ】
0006635543.tif 000006
【図３ｄ】
0006635543.tif 000007
【図４ａ】
0006635543.tif 000008
【図４ｂ】
0006635543.tif 000009
【図４ｃ】
0006635543.tif 000010
【図４ｄ】
0006635543.tif 000011
【図５ａ】
0006635543.tif 000012
【図５ｂ】
0006635543.tif 000013
【図５ｃ】
0006635543.tif 000014
【図６】
0006635543.tif 000015
【図７ａ】
0006635543.tif 000016
【図７ｂ】
0006635543.tif 000017
【図８】
0006635543.tif 000018
【図９ａ】
0006635543.tif 000019
【図９ｂ】
0006635543.tif 000020
【図９ｃ】
0006635543.tif 000021
【図９ｄ】
0006635543.tif 000022
【図１０】
0006635543.tif 000023
【図１１】
0006635543.tif 000024
【図１２】
0006635543.tif 000025